(57)【要約】【課題】安全性をさらに向上できる電動工具を提供する。【解決手段】工具装着部３を動作させる駆動部２を駆動させるオン位置と駆動させないオフ位置との間で移動させる操作を受け付ける第１操作受付部４１と、前記第１操作受付部４１の前記オフ位置から前記オン位置への移動を制限する位置と、前記制限を解除する位置との間で移動させる操作を受け付ける第２操作受付部４２と、前記第１操作受付部４１を前記オン位置で保持させる操作を受け付ける第３操作受付部４３、を備え、前記第３操作受付部４３はさらに、前記第２操作受付部４２と離れて構成される電動工具１である。【選択図】図２
2020157392.tif 000002
【特許請求の範囲】
【請求項１】
駆動力を出力する駆動部と、
前記駆動部から出力された駆動力により動作する工具装着部と、
前記駆動部を駆動させるオン位置と駆動させないオフ位置との間で移動させる操作を受け付ける第１操作受付部と、
前記第１操作受付部の前記オフ位置から前記オン位置への移動を制限する位置と、前記制限を解除する位置との間で移動させる操作を受け付ける第２操作受付部と、
前記第１操作受付部を前記オン位置で保持させる操作を受け付ける第３操作受付部と、を備え、
前記第３操作受付部はさらに、前記第２操作受付部と離れて構成される、電動工具。
【請求項２】
前記工具装着部は、前記電動工具における前部に備えられ、
前記工具装着部から前記電動工具の後端に向かって、前記第３操作受付部、前記第２操作受付部、前記第１操作受付部の順に並んで配置される、請求項１に記載の電動工具。
【請求項３】
前記第２操作受付部の、前記制限を解除する位置への操作方向と、前記第３操作受付部の、前記第１操作受付部を前記オン位置で保持させるための操作の操作方向と、が同じ方向である、請求項１または２に記載の電動工具。
【請求項４】
前記第２操作受付部及び前記第３操作受付部が回動し、
前記第２操作受付部の回動軸線と前記第３操作受付部の回動軸線とが略平行である、請求項３に記載の電動工具。
【請求項５】
前記駆動部を収納するケースを備え、
前記工具装着部は、前記ケースから突出しており、
前記第１操作受付部、前記第２操作受付部、前記第３操作受付部の全てが、前記ケースにおいて前記工具装着部の突出方向と同一方向に設けられている、請求項１〜４のいずれかに記載の電動工具。
【発明の詳細な説明】
【技術分野】
【０００１】
本発明は、駆動部から出力された駆動力により動作する工具装着部を備えた電動工具に関する。
【背景技術】
【０００２】
電動工具は、電動モーターを含む駆動部を駆動させるため、オン位置とオフ位置との間で移動するよう、ユーザーによる操作を受け付ける操作受付部（レバー、ボタン等）を備えている。この操作受付部につき、ユーザーが意図せずオン位置に移動してしまわないよう、オン位置に移動することを制限する（または、オフ位置で保持する）安全機構と、ユーザーが電動工具を連続動作させる際の操作時の負担低減のため、操作受付部（スイッチレバー）をオン位置で保持するロックオン機構とを備えた電動工具がある。これは、例えば特許文献１に記載されている。
【０００３】
特許文献１に記載の電動工具では、駆動部を駆動させるためにユーザーによって押し込まれるスイッチレバーに、ロック操作部材が設けられている。ロック操作部材には爪部が設けられていて、ロック操作部材を操作しない状態では、爪部が、電動工具の内部に設けられている被係合部に係合している。この係合状態では、ロック操作部材の設けられたスイッチレバーは押し込み不能である。ロック操作部材を移動させることで前記係合を外すと、スイッチレバーが押し込み操作可能となる。つまり、オン位置に移動することにつき制限解除される。
【０００４】
スイッチレバーの押し込み操作を行い、その後にロック操作部材を前記制限解除の際とは逆方向に移動させることで、再度、爪部を被係合部に係合させることができる。この係合状態では、ロック操作部材の設けられたスイッチレバーは押し込まれた状態が保持される（ロックオン状態）。ロックオン状態では、ユーザーがスイッチレバーを離しても、スイッチレバーが押し込まれたままであるので、駆動部の駆動は継続する。これにより、ユーザーはスイッチレバーの押し込みを継続する必要がなくなるため、連続作業時の操作負担を軽減できる。
【先行技術文献】
【特許文献】
【０００５】
【特許文献１】特許第５２０８７７５号公報
【発明の概要】
【発明が解決しようとする課題】
【０００６】
しかし、このように単一の操作受付部であるロック操作部材が二つの異なる機能（制限解除及びロックオン）を奏する構成によると、ユーザーが単一の操作受付部を連続性のある一動作で簡便に操作可能である。そのため、ユーザーが格別の注意を払わずに二つの操作をできることから、安全性の観点では改善すべき余地があった。
【０００７】
前記問題に鑑み、本発明は、安全性をさらに向上できる電動工具を提供することを課題とする。
【課題を解決するための手段】
【０００８】
本発明の装置は、駆動力を出力する駆動部と、前記駆動部から出力された駆動力により動作する工具装着部と、前記駆動部を駆動させるオン位置と駆動させないオフ位置との間で移動させる操作を受け付ける第１操作受付部と、前記第１操作受付部の前記オフ位置から前記オン位置への移動を制限する位置と、前記制限を解除する位置との間で移動させる操作を受け付ける第２操作受付部と、前記第１操作受付部を前記オン位置で保持させる操作を受け付ける第３操作受付部と、を備え、前記第３操作受付部はさらに、前記第２操作受付部と離れて構成される、電動工具である。
【０００９】
また、前記工具装着部は、前記電動工具における前部に備えられ、前記工具装着部から前記電動工具の後端に向かって、前記第３操作受付部、前記第２操作受付部、前記第１操作受付部の順に並んで配置されていてもよい。
【００１０】
また、前記第２操作受付部の、前記制限を解除する位置への操作方向と、前記第３操作受付部の、前記第１操作受付部を前記オン位置で保持させるための操作の操作方向と、が同じ方向であってもよい。
【００１１】
また、前記第２操作受付部及び前記第３操作受付部は回動し、前記第２操作受付部の回動軸線と前記第３操作受付部の回動軸線とが略平行であってもよい。
【００１２】
また、前記駆動部を収納するケースを備え、前記工具装着部は、前記ケースから突出しており、前記第１操作受付部、前記第２操作受付部、前記第３操作受付部の全てが、前記ケースにおいて前記工具装着部の突出方向と略同一方向に設けられていてもよい。
【発明の効果】
【００１３】
本発明によると、第２操作受付部の操作で、第１操作受付部のオン位置への移動を制限することを解除することを行い、第１操作受付部及び第２操作受付部とは別に操作される第３操作受付部の操作で、第１操作受付部をオン位置で保持する。このように、第１操作受付部をオン位置で保持するために、別個の操作受付部による二つの操作がユーザーに要求される。このため、ユーザーの誤操作が抑制される。よって、安全性をさらに向上できる。
【図面の簡単な説明】
【００１４】
【図１】本発明の一実施形態に係る電動工具（ディスクグラインダー）を示す斜視図である。
【図２】前記電動工具を示す右側面図である。
【図３】前記電動工具を示す要部の縦断面図である。
【図４】前記電動工具を示す要部の縦断面図であり、（ａ）は操作前の状態を示し、（ｂ）はセーフティレバーが解除操作された状態を示す。
【図５】前記電動工具を示す要部の縦断面図であり、（ａ）はスイッチレバーが押し込まれた状態を示し、（ｂ）はロックレバーが操作された状態を示す。
【発明を実施するための形態】
【００１５】
以下、本発明の一実施形態を、図面を参照しながら説明する。本実施形態の電動工具としてディスクグラインダーを示す。ただし、これは一例に過ぎず、本発明の適用対象となる電動工具はこれに限定されない。
【００１６】
以下の説明における前後方向については本実施形態の電動工具１で作業中のユーザーから見て遠い側を前方、近い側を後方とする。また、左右方向は電動工具の前端面を正面とした場合の左右方向とする。また、上下方向については図１及び図２に示す上下方向とする。ただし、この方向の表現は、本実施形態の理解を容易にするための便宜上の表現に過ぎず、発明をこの方向に限定する意図はない。
【００１７】
図１及び図２に示すように、本実施形態の電動工具１は、駆動力を出力する駆動部２（図２に電動モーターの位置を破線で図示）と、駆動部２から出力された駆動力により動作する工具装着部３と、ユーザーによる操作を受け付ける操作受付部４とを備える。本実施形態の駆動部２は電動モーターを含み、駆動力として回転力を発生させる。なお、駆動部２に変速機構を含むこともできる。駆動部２から出力された駆動力は、図示しない伝動部（回転軸、ベルト、プーリー、ギア等）を介して工具装着部３に伝達される。また、駆動部２を冷却するための気流を生じさせるファン等も設けられている。本実施形態で工具装着部３に装着された工具は円板状の砥石Ｄ（二点鎖線で図示）である。この砥石Ｄは、駆動力により上下方向に延びる縦軸３１まわりに回転することで、被加工物を研磨したり切断したりできる。工具装着部３及び砥石Ｄの後半分における上部及び外周部は、安全のため保護カバー３２で覆われている。駆動部２は中空であるケース５に内蔵され、工具装着部３と操作受付部４はケース５から露出している。ケース５のうち後部はユーザーが手で持つことのできるハンドル５１となっている。ケース５は、ハンドル５１よりも前方において断面積が拡大されている。ハンドル５１の後端から後方に、駆動部２等に電力を供給する給電コード６が延びている。操作受付部４はハンドル５１の下方に設けられている。ユーザーは、ハンドル５１を握った状態で、指で操作受付部４を操作できる。本実施形態では、駆動部２及び工具装着部３は、ケース５のうち前部に設けられている。
【００１８】
操作受付部４は、図２に示すように、第１操作受付部としてのメインスイッチレバー４１、第２操作受付部としてのセーフティレバー４２、第３操作受付部としてのロックレバー４３から構成されている。各レバーの位置関係は図示の通りである、セーフティレバー４２はメインスイッチレバー４１における前部に設けられており、ロックレバー４３は、メインスイッチレバー４１及びセーフティレバー４２から離れて、両レバー４１，４２の前方に設けられている。つまり、工具装着部３から電動工具１の後端に向かって、ロックレバー４３（第３操作受付部）、セーフティレバー４２（第２操作受付部）、メインスイッチレバー４１（第１操作受付部）の順に並んで配置されている。各操作受付部４１〜４３が並んで配置されるため操作がしやすい。さらにセーフティレバー４２（第２操作受付部）とロックレバー４３（第３操作受付部）が並んで配置されることで、ロックオンのための操作をスムーズに行うことができる。
【００１９】
メインスイッチレバー４１、セーフティレバー４２、ロックレバー４３は、斜め下前方に延びる仮想のラインに沿うように設けられている。各レバー４１〜４３のうち、特に、セーフティレバー４２とロックレバー４３とが一つのライン上に設けられることにより、ユーザーは、例えば人差指をこのラインに沿って移動させていけば両レバー４１，４２を順次操作できる。このため、別操作であるセーフティレバー４２の操作とロックレバー４３の操作を、続けて行うことが可能であるから、ユーザーの操作感が良好である。
【００２０】
また、セーフティレバー４２及びロックレバー４３は、ハンドル５１の前部に設けられている。ハンドル５１よりも前方では、ケース５の断面積が大きくなっている。つまり、前方から見た場合にケース５の陰に隠れるように各レバー４２，４３が位置している。このため、例えばハンドル５１の後端部に各レバー４２，４３を設けた場合に比べると、電動工具１を床面等に置いた場合に、床面上の突起等に偶然セーフティレバー４２が当たることで、ユーザーが意図しないのにメインスイッチレバー４１がオン位置に移動してしまう可能性を低減できる。よって、安全性が向上されている。
【００２１】
メインスイッチレバー４１は、駆動部２を駆動させるオン位置と駆動させないオフ位置との間で移動する。メインスイッチレバー４１は、前記オン位置とオフ位置との間の移動についての、ユーザーによる操作を受け付ける。メインスイッチレバー４１は、図示していない圧縮ばねによってケース５から突出する方向に付勢されている。メインスイッチレバー４１の後端部は、ケース５に対し、左右方向に延びる横軸（回動軸線）まわりで回動可能に支持されている。
【００２２】
メインスイッチレバー４１は、ユーザーの操作により前記回動軸線を中心としてオン位置とオフ位置との間の所定範囲を回動する。オン位置は駆動部２から駆動力が出力される位置であり、メインスイッチレバー４１がケース５に対して押し込まれる側の位置である。オフ位置は駆動部２からの駆動力の出力が停止される位置であり、メインスイッチレバー４１がケース５から飛び出る側の位置である。
【００２３】
本実施形態におけるメインスイッチレバー４１の前端には前壁部４１１が設けられている。この前壁部４１１の下端面４１２は、後述するロックレバー４３の段差部４３３に対して当接する。
【００２４】
ケース５の内部であり、メインスイッチレバー４１の可動範囲に対応した部分には、スイッチ本体７が設けられている。スイッチ本体７の基本構成は公知であることから詳細な説明はしないが、本実施形態では、図３等に示すように、スイッチ本体７の前部から下方に延びる前方突出部７１が設けられている。この前方突出部７１は、セーフティレバー４２が備える突出片４２４との係合により、メインスイッチレバー４１の押し込みを阻止するために設けられている。
【００２５】
本実施形態のセーフティレバー４２は、メインスイッチレバー４１の前端部に回動可能に設けられている。なお、セーフティレバー４２は、メインスイッチレバー４１においてユーザーが操作のために握る部分（前方部４１３、後方部４１４）よりも更に前方、言い換えれば、メインスイッチレバー４１においてユーザーが操作のために握る必要のない部分に設けられている。このため、セーフティレバー４２がメインスイッチレバー４１の一部に設けられていても、ユーザーによるメインスイッチレバー４１の操作の邪魔になることがない。
【００２６】
セーフティレバー４２は、メインスイッチレバー４１に対し、左右方向に延びる回動軸線である横軸４２１まわりで回動可能に支持されている。セーフティレバー４２は、メインスイッチレバー４１上に設けられてはいるが、メインスイッチレバー４１とは別に操作できる。
【００２７】
セーフティレバー４２は、メインスイッチレバー４１のオフ位置からオン位置への移動を制限する位置（後方位置）と当該制限を解除する位置（前方位置）との間で移動するよう操作される。セーフティレバー４２は、前記後方位置と前方位置との間の移動についての、ユーザーによる操作を受け付ける。ユーザーの指（例えば人差指）は、主に、セーフティレバー４２の後端面４２２に当たる。後端面４２２は側面視で前方に凹んだ形状とされているため、ユーザーの指が滑りにくく、確実に操作できる。なお、セーフティレバー４２はケース５の内部に圧縮ばねであるコイルばね４２３により付勢されていて、ユーザーによる操作がなされない場合には、定位置である、可動範囲の後端に位置している。
【００２８】
本実施形態におけるセーフティレバー４２は、横軸４２１よりも前方に、上方に突出する突出片４２４を備えている。本実施形態の突出片４２４は板状であって、セーフティレバー４２における本体部分から上方に延び、上端で直角に折れ曲がり後方に延びた後、下方に折り曲げられた形状である。この突出片４２４は、セーフティレバー４２が操作されていない状態でメインスイッチレバー４１を回動させた場合に、スイッチ本体７の前方突出部７１に干渉する位置に設けられている。突出片４２４はセーフティレバー４２における本体部分と一体に形成することもできるし、別体に形成することもできる。特に別体で形成した場合は、突出片４２４に弾性を持たせることができる。これにより、スイッチ本体７における前方突出部７１の後方に入り込む際（図５（ａ）（ｂ）参照）、突出片４２４が撓むことでスイッチ本体７に干渉しないようにできる。
【００２９】
このため、セーフティレバー４２が操作されずに可動範囲後端にある状態では、メインスイッチレバー４１の押し込みが阻止される。一方、セーフティレバー４２が操作されて前方に移動した状態では、図４（ｂ）に示すように、突出片４２４がスイッチ本体７の前方突出部７１よりも後方に移動する。このため、メインスイッチレバー４１の押し込みができるようになる。
【００３０】
本実施形態のセーフティレバー４２において、前方から下方に至る外周面４２５は、回動軸線である横軸４２１を中心とした略一定の曲率である円弧状の湾曲面とされている。このため、セーフティレバー４２が、コイルばね４２３の付勢に伴う定位置である可動範囲後端から可動範囲前端に移動した際も、外周面４２５は、横軸４２１を中心とした円弧上を移動し、前方には移動しない。このため、セーフティレバー４２のケース５から露出した部分においては、前記移動に伴い、後端面４２２だけが移動するように見える。このようなセーフティレバー４２の形状により、セーフティレバー４２の前端部が前方に移動しないことで、干渉を避けるためロックレバー４３をセーフティレバー４２の前方に必要以上に離して設けなくてもよく、ユーザーがセーフティレバー４２の操作とロックレバー４３の操作を続けて行うことが阻害されにくい。
【００３１】
ロックレバー４３は、メインスイッチレバー４１及びセーフティレバー４２とは別に操作される。ユーザーの指は、主に、ロックレバー４３の後端面４３１に当たる。後端面４３１は側面視で前方に凹んだ形状とされているため、ユーザーの指が滑りにくく、確実に操作できる。本実施形態のロックレバー４３においてケース５から露出した部分は、図２に示すように湾曲板状とされている。
【００３２】
ロックレバー４３は、メインスイッチレバー４１をオン位置で保持してロックオン状態とする。ロックレバー４３は、メインスイッチレバー４１のオン位置での保持についての、ユーザーによる操作を受け付ける。本実施形態のロックレバー４３は、図３に示すように、オフ状態のメインスイッチレバー４１におけるセーフティレバー４２の斜め下前方に離れて位置する。つまり、ロックレバー４３は、メインスイッチレバー４１及びセーフティレバー４２に対して、物理的に分離して設けられている。両レバー４２，４３が物理的に分離していることにより、ユーザーが意図しないでロックレバー４３を操作してしまう可能性が低減されている。ただし、セーフティレバー４２の操作とロックレバー４３の操作は続けて行われることから、操作の便宜のため、ロックレバー４３はセーフティレバー４２に対して全く関連しない位置ではなく、セーフティレバー４２と隣り合う位置に設けられていることが好ましい。
【００３３】
本実施形態におけるロックレバー４３は、ケース５に対して回動する。ロックレバー４３の、回動中心よりも上方の位置には、コイルばね４３２が設けられていて、引張方向のばね力がロックレバー４３の上部にかかっている。このばね力は、ユーザーが操作するロックレバー４３の下部を後方に付勢している。コイルばね４３２は、例えば、引張ばねで構成される。ロックレバー４３の上端は後方に屈曲しており、この屈曲した部分が段差部４３３とされている。段差部４３３は、ロックレバー４３が前方に回動した状態で、メインスイッチレバー４１の前壁部４１１における下端面４１２に当接する。
【００３４】
ロックレバー４３の、メインスイッチレバー４１をオン位置で保持させるための操作方向は前方向であって、セーフティレバー４２の、前記制限を解除する位置への操作方向と同じ方向とされている。セーフティレバー４２とロックレバー４３は別個独立で操作可能であるが、ロックレバー４３をオン位置で保持する際の操作方向が同じ方向である。このため、別個独立の操作受付部４１〜４３を操作しなければならないことにより、ユーザーに安全への認識を与えるきっかけになると共に、操作方向は同じであるからユーザーの使い勝手が良い。この各操作受付部４１〜４３の操作方向が一致することに対応して、セーフティレバー４２の後端面４２２とロックレバー４３の後端面４３１はいずれも類似の湾曲形状、具体的には、側面視で前方に凹んだ形状とされている。
【００３５】
また、セーフティレバー４２及びロックレバー４３は共に回動する。本実施形態では、セーフティレバー４２の回動軸線とロックレバー４３の回動軸線とが平行である。なお、略平行であってもよい。他の移動方式に比べて回動方式は簡易な構成とできる。このため、動作に係る部分が壊れにくいので耐久性を向上できる。また、セーフティレバー４２の回動軸線とロックレバー４３の回動軸線とが平行であるから、ユーザーがセーフティレバー４２とロックレバー４３とを続けて操作する際に、力を入れる方向が同じである。
【００３６】
また、工具装着部３はケース５から下方に突出しており、メインスイッチレバー４１、セーフティレバー４２、ロックレバー４３の全てがケース５におけるハンドル５１の下側（つまり、ケース５において工具装着部３の突出方向と同一方向）に設けられている。このため、ユーザーから見て、ケース５に対する工具装着部３の設けられた方向と各レバー４１〜４３の設けられた方向とが一致している。つまり、入力部分（ユーザーが操作する部分）と出力部分（工具装着部３が動作する部分）とがケース５の同じ側にある。このため、ユーザーによる電動工具１の操作性を向上させることができる。
【００３７】
また、本実施形態の電動工具１では、ユーザーがセーフティレバー４２とロックレバー４３とを続けて操作する指（例えば人差指）の動きの先に工具装着部３が位置する。このような位置関係も、各レバー４１〜４３の操作に関してユーザーによる電動工具１の操作性を向上させることに寄与している。
【００３８】
以上のように構成された本実施形態の電動工具１では、セーフティレバー４２の操作で、メインスイッチレバー４１のオン位置への移動を制限することを解除する。そして、別の操作受付部であるロックレバー４３の操作で、メインスイッチレバー４１をオン位置で保持したロックオン状態とする。このように、ロックオン状態とするために、ユーザーは、２つの異なる操作受付部のそれぞれに対して所定の操作が必要である。このため、ユーザーの誤操作が抑制されるので電動工具１の操作の安全性を向上できる。
【００３９】
次に、ユーザーが電動工具１を使用する際における操作の流れについてまとめる。図４（ａ）は図３と同内容であって、操作前の状態である。各レバー４１〜４３に設けられたばねの付勢力によって、ユーザーが操作しないと、各レバー４１〜４３は図示した状態となる。図４（ｂ）は、セーフティレバー４２が前方に移動させられたことで、メインスイッチレバー４１が押し込み可能になった状態である。
【００４０】
図５（ａ）は、セーフティレバー４２を前方に移動させたまま、メインスイッチレバー４１がケース５に対して押し込まれた状態である。具体的には、ユーザーが人差指でセーフティレバーを押したままで、例えば中指、薬指、小指の３指でメインスイッチレバー４１を押し込むことでこの状態となる。メインスイッチレバー４１の押し込みに伴い、スイッチ本体７がオン状態となり、駆動部２が通電して駆動する。
【００４１】
メインスイッチレバー４１のうち、前方部４１３はケース５から大きく突出しており、後方部４１４はケース５から小さく突出していて前後で段差がある。例えばユーザーが、前方部４１３に中指、及び、セーフティレバー４２等を操作する前の人差指を置き、後方部４１４に薬指及び小指を置くことで、メインスイッチレバー４１に安定して指を添えることができる。
【００４２】
図５（ａ）に示した状態では、セーフティレバー４２にユーザーの指が掛っているか否かにかかわらず、ユーザーがメインスイッチレバー４１を押し込んでいた力を緩めると、内部に設けられた圧縮ばねの付勢力によってメインスイッチレバー４１はケース５から突出する。これに伴い、スイッチ本体７がオフ状態となり、駆動部２が停止する。
【００４３】
図５（ｂ）は、メインスイッチレバー４１がケース５に対して押し込まれたままで、ロックレバー４３が前方に移動させられた状態である。ロックレバー４３が前方に移動させられた状態で、ユーザーがメインスイッチレバー４１を押し込む力を緩めると、図５（ｂ）に示した状態から、メインスイッチレバー４１はわずかに突出方向（下方）に移動する。しかし、メインスイッチレバー４１の前壁部４１１における下端面４１２が、ロックレバー４３の段差部４３３に対して当接することから、メインスイッチレバー４１はそれ以上突出方向に移動しない。この状態でユーザーがメインスイッチレバー４１から指を離したとしても、この状態が保たれる。これに伴い、スイッチ本体７のオン状態が保持され、駆動部２の駆動が継続する。これがすなわちロックオン状態である。
【００４４】
ここでユーザーは、セーフティレバー４２に掛けていた人差指をロックレバー４３に掛かるように移動させることで、セーフティレバー４２の操作に引き続いてロックレバー４３の操作をすることができる。例えば中指、薬指、小指の３指によるメインスイッチレバー４１が握られれば、人差指による前記二つの操作が円滑に実行できる。
【００４５】
ロックオン状態を解除する際は、ロックオン状態のメインスイッチレバー４１が更に押し込まれることにより、メインスイッチレバー４１の前壁部４１１がロックレバー４３の段差部４３３の上方に離れる。ロックレバー４３にはコイルばね４３２のばね力がかかっていることから、メインスイッチレバー４１の前壁部４１１がロックレバー４３の段差部４３３の上方に離れるに従い、ロックレバー４３が元の位置に復帰する。このようにロックレバー４３は、作動のための押し込み動作はユーザーによりなされるが、解除はコイルばねによって自動的になされる。
【００４６】
つまり、ロックオン状態とするためには、セーフティレバー４２の操作の後にロックレバー４３を操作するとの「２ステップ」の動作が要求されるが、ロックオン状態を解除するためには、メインスイッチレバー４１を更に押し込むとの「１ステップ」の動作でよい。このように、危険が増加する方向の操作は複雑に、危険がなくなる方向の操作は単純に設定されている。このため、従来よりも安全な電動工具１とできる。
【００４７】
尚、本発明は、前記実施形態に限定されるものではなく、本発明の要旨を逸脱しない範囲で種々の変更が可能である。
【００４８】
例えば、工具装着部３に装着する工具は砥石Ｄに限定されない。また、駆動力の方向は、前記実施形態では回転方向であったが、往復方向であってもよい。往復方向の場合、軌跡が直線状であってもよいし曲線状であってもよい。また、各操作受付部はレバーに限られず、例えばボタンであってもよく、形態は限定されない。
【００４９】
また、メインスイッチレバー４１は、前記実施形態のようにケース５に対して出没する方向に移動する押し込み式に限られない。例えば、ケース５に対して沿う方向に移動するスライド式であってもよい。
【００５０】
また、前記実施形態のロックレバー４３は、図２に示すように、前後方向（水平方向）ではセーフティレバー４２に対して一部重なる位置に設けられていた。このようにロックレバー４３は、少なくとも一部がユーザーから見てセーフティレバー４２の前方に離れて位置すればよい。
【００５１】
また、前記実施形態のロックレバー４３はセーフティレバー４２に対して物理的に分離して設けられていたが、これに限られるものではない。ロックレバー４３はセーフティレバー４２に対して、一連の操作ができないようにされている、または、別個独立の操作受付部となっていればよい。このため例えば、ロックレバー４３をセーフティレバー４２に連結して設けたり一体に設けたりすることにより兼用されていてもよい。この場合例えば、兼用されたレバーを、一方の操作方向に操作することでセーフティレバー４２としての操作がなされ、他方の操作方向に操作することでロックレバー４３としての操作がなされるようにすることもできる。
【符号の説明】
【００５２】
１…電動工具（ディスクグラインダー）、２…駆動部、３…工具装着部、４…操作受付部、５…ケース、６…給電コード、７…スイッチ本体、３１…縦軸、３２…保護カバー、４１…第１操作受付部（メインスイッチレバー）、４２…第２操作受付部（セーフティレバー）、４３…第３操作受付部（ロックレバー）、５１…ハンドル、７１…前方突出部、４１１…前壁部、４１２…前壁部の下端面、４１３…メインスイッチレバーの前方部、４１４…メインスイッチレバーの後方部、４２１…回動軸線（横軸）、４２２…セーフティレバーの後端面、４２３…コイルばね、４２４…突出片、４２５…セーフティレバーの外周面、４３１…ロックレバーの後端面、４３２…コイルばね、４３３…段差部
【図１】
2020157392.tif 000003
【図２】
2020157392.tif 000004
【図３】
2020157392.tif 000005
【図４】
2020157392.tif 000006
【図５】
2020157392.tif 000007